(57)【特許請求の範囲】
【請求項１】
車両駆動用の二次電池として使用された中古二次電池の再利用を支援するシステムであって、
前記二次電池が搭載された車両の下取りを行う複数の下取施設の位置情報と、
中古二次電池の再利用先における用途と、該用途に用いるために要求される劣化状態と、を対応付けた第１情報と、
前記用途と、該用途に用いるために前記中古二次電池を販売する場合の価格と、を対応付けた第２情報と、
を記憶する記憶部と、
前記中古二次電池の購入を希望する購入希望者からの、前記中古二次電池の再利用先における用途及び納入場所の位置情報を含む、該中古二次電池の購入希望情報を受け付けて前記記憶部に記憶させる購入希望情報受付部と、
前記車両の下取りを希望する下取希望者からの、該車両に搭載された前記二次電池の劣化状態を示す情報を含む下取希望情報を受け付ける下取希望情報受付部と、
前記第１情報を参照して、前記購入希望情報に含まれる前記中古二次電池の再利用先における用途に対応付けられた劣化状態を認識し、該認識された劣化状態が前記下取希望情報に含まれる劣化状態と適合する前記購入希望情報を抽出する抽出部と、
前記第２情報を参照して、前記抽出された前記購入希望情報に含まれる前記中古二次電池の再利用先における用途に対応付けられた価格を認識し、該認識された価格を下取りされる二次電池の前記購入希望者への販売価格として決定する販売価格決定部と、
抽出された前記購入希望情報に含まれる前記納入場所の位置情報と、前記複数の下取施設の位置情報と、に基づいて該複数の下取施設それぞれから該納入場所までの距離を認識し、該認識された距離に基づいて前記下取りされる二次電池の各下取施設から前記納入場所までの輸送コストを推定する輸送コスト推定部と、
前記下取りされる二次電池の前記販売価格から前記輸送コストを差し引いた金額に基づいて、前記各下取施設での該下取りされる二次電池の下取価格を決定する下取価格決定部とを備える
ことを特徴とする中古二次電池再利用システム。
【請求項２】
請求項１に記載の中古二次電池再利用システムにおいて、
前記下取価格決定部により決定された前記各下取施設での前記下取価格及び該各下取施設の位置を示す情報を前記下取希望者に出力する下取施設情報出力部を備えることを特徴とする中古二次電池再利用システム。
【請求項３】
請求項２に記載の中古二次電池再利用システムにおいて、
前記下取施設情報出力部は、前記下取価格の最も高い前記下取施設の位置を示す情報及び該下取施設における該下取価格の表示を、他の前記下取施設に関する情報の表示と異なるものとするように構成されていることを特徴とする中古二次電池再利用システム。
【請求項４】
請求項１〜３の何れかに記載の中古二次電池再利用システムにおいて、
下取りされた二次電池に関する情報を前記記憶部に記憶させる下取情報処理部と、
前記購入希望者からの、前記下取りされた二次電池の購入を予約することを示す情報を受け付けて前記記憶部に記憶させる予約情報受付部と、
前記記憶部に記憶された前記下取りされた二次電池の購入を予約することを示す情報を出力する予約情報出力部とを備えることを特徴とする中古二次電池再利用システム。
【請求項５】
請求項１〜４の何れかに記載の中古二次電池再利用システムにおいて、
前記購入希望情報受付部は、前記中古二次電池の輸送に用いることができる車輛の種類を示す情報を含む、前記購入希望者からの該中古二次電池の前記納入場所への輸送方法を指定する情報を含む情報を受け付けるように構成されており、
前記輸送コスト推定部は、前記複数の下取施設それぞれから前記納入場所までの距離に応じた、輸送に用いる前記車輛の占有時間を含む情報に基づいて、前記輸送コストを推定するように構成されていることを特徴とする中古二次電池再利用システム。
【請求項６】
請求項１〜５の何れかに記載の中古二次電池再利用システムにおいて、
前記輸送コスト推定部は、前記下取りされる二次電池の各下取施設から前記納入場所までの距離を算出し、該算出された距離に基づいて、該下取りされる二次電池の各下取施設から前記納入場所までの輸送コストを推定するように構成されていることを特徴とする中古二次電池再利用システム。
【請求項７】
請求項６に記載の中古二次電池再利用システムにおいて、
前記輸送コスト推定部は、前記下取りされる二次電池の各下取施設から前記納入場所までの距離が所定以上である各下取施設を前記輸送コストの推定対象から除外するように構成されていることを特徴とする中古二次電池再利用システム。
【請求項８】
請求項１〜７の何れかに記載の中古二次電池再利用システムにおいて、
前記購入希望情報受付部は、前記中古二次電池の前記納入場所への納入希望時期を指定する情報を含む情報を受け付けるように構成されており、
前記購入希望情報に含まれる前記中古二次電池の前記納入希望時期を指定する情報に応じた、該中古二次電池が前記購入希望者に納入されるまでの期間の長さに基づいて該中古二次電池が該購入希望者に納入されるまでの劣化の進み度合いを推定するとともに、前記抽出部が認識した前記購入希望情報に含まれる前記中古二次電池の再利用先における用途に対応付けられた劣化状態に、該推定した劣化の進み度合いを足し合わせて、前記下取りされる二次電池の下取時に要求される劣化状態を決定する要求劣化状態決定部を備え、
前記抽出部は、前記下取りされる二次電池の下取時に要求される劣化状態が前記下取希望情報に含まれる劣化状態と適合する前記購入希望情報を抽出するように構成されていることを特徴とする中古二次電池再利用システム。
【発明の詳細な説明】
【技術分野】
【０００１】
本発明は、中古の二次電池を再利用するシステムに関する。
【背景技術】
【０００２】
従来、使用した二次電池を他の分野において再利用する際に、その再利用先に応じた適切な二次電池を特定することができるシステムが提案されている（特許文献１参照）。
【先行技術文献】
【特許文献】
【０００３】
【特許文献１】特開２０１８−５０４５７号公報
【発明の概要】
【発明が解決しようとする課題】
【０００４】
当該先行技術によれば、蓄電池の動作履歴情報に基づいて、蓄電池の残存価値が算出され、残存価値情報に基づいて、再利用先のシステムに要求される蓄電池が満たすべき需要情報の内容を満足する残存価値を有する蓄電池が選別される。
【０００５】
ところで、中古二次電池の保管場所から利用場所までの輸送コストは、中古二次電池の購入者の総支払額に含まれる。中古二次電池が安価に用意できても輸送コストが高額である場合、総支払額が高額となるため、ユーザーは中古二次電池の購入を躊躇してしまう。
【０００６】
先行技術においては、中古二次電池の保管場所から利用場所までの輸送コストが考慮されていないため、ユーザーが中古二次電池の購入の際に支払うべき支払総額が高額となる可能性があるので、結果として中古二次電池の普及が進まない。
【０００７】
そこで本発明は、中古二次電池の輸送コストを抑え、安価に中古二次電池を販売することができるシステムを提供することを目的とする。
【課題を解決するための手段】
【０００８】
本発明の中古二次電池再利用システムは、
車両駆動用の二次電池として使用された中古二次電池の再利用を支援するシステムであって、
前記二次電池が搭載された車両の下取りを行う複数の下取施設の位置情報と、
中古二次電池の再利用先における用途と、該用途に用いるために要求される劣化状態と、を対応付けた第１情報と、
前記用途と、該用途に用いるために前記中古二次電池を販売する場合の価格と、を対応付けた第２情報と、
を記憶する記憶部と、
前記中古二次電池の購入を希望する購入希望者からの、前記中古二次電池の再利用先における用途及び納入場所の位置情報を含む、該中古二次電池の購入希望情報を受け付けて前記記憶部に記憶させる購入希望情報受付部と、
前記車両の下取りを希望する下取希望者からの、該車両に搭載された前記二次電池の劣化状態を示す情報を含む下取希望情報を受け付ける下取希望情報受付部と、
前記第１情報を参照して、前記購入希望情報に含まれる前記中古二次電池の再利用先における用途に対応付けられた劣化状態を認識し、該認識された劣化状態が前記下取希望情報に含まれる劣化状態と適合する前記購入希望情報を抽出する抽出部と、
前記第２情報を参照して、前記抽出された前記購入希望情報に含まれる前記中古二次電池の再利用先における用途に対応付けられた価格を認識し、該認識された価格を下取りされる二次電池の前記購入希望者への販売価格として決定する販売価格決定部と、
抽出された前記購入希望情報に含まれる前記納入場所の位置情報と、前記複数の下取施設の位置情報と、に基づいて該複数の下取施設それぞれから該納入場所までの距離を認識し、該認識された距離に基づいて前記下取りされる二次電池の各下取施設から前記納入場所までの輸送コストを推定する輸送コスト推定部と、
前記下取りされる二次電池の前記販売価格から前記輸送コストを差し引いた金額に基づいて、前記各下取施設での該下取りされる二次電池の下取価格を決定する下取価格決定部とを備える
ことを特徴とする。 
【０００９】
本発明の中古二次電池再利用システムでは、抽出部により、中古二次電池の再利用先における用途に対応付けられた劣化状態が認識されて、当該認識された劣化状態が下取希望情報に含まれる劣化状態と適合する購入希望情報が抽出される。そして、販売価格決定部により、中古二次電池の再利用先における用途に対応付けられた価格が認識されて、当該認識された価格が、下取りされる二次電池の購入希望者への販売価格として決定される。 
【００１０】
また、輸送コスト推定部により、購入希望情報に含まれる納入場所の位置情報と、複数の下取施設の位置情報とに基づいて複数の下取施設それぞれから該納入場所までの距離が認識されて、該認識された距離に基づいて、下取りされる二次電池の各下取施設から納入場所までの輸送コストが推定される。 
【００１１】
また下取価格決定部により、下取りされる二次電池の販売価格から輸送コストを差し引いた金額に基づいて、各下取施設での該下取りされる二次電池の下取価格が決定される。 
【００１２】
これにより、下取りされる二次電池の劣化状態及び、購入希望情報に含まれる再利用先における用途並びに納入場所の位置と複数の下取施設の位置とに基づく輸送コストが考慮されて二次電池の下取価格が決定される。そのため、下取価格は二次電池の実態に即した適正な金額となる。
【００１３】
このように本発明の中古二次電池再利用システムによれば、中古二次電池の輸送コストを抑え、安価に中古二次電池を販売することができる。
【００１４】
本発明の中古二次電池再利用システムにおいて、
前記下取価格決定部により決定された前記各下取施設での前記下取価格及び該各下取施設の位置を示す情報を前記下取希望者に出力する下取施設情報出力部を備えることが好ましい。
【００１５】
本発明の中古二次電池再利用システムでは、下取施設情報出力部により、各下取施設での下取価格及び該各下取施設の位置を示す情報が下取希望者に出力される。
【００１６】
これにより、下取希望者は、下取施設ごとの下取り価格があらかじめわかるので、どの下取施設で下取をしてもらうかを十分に検討することができ、下取価格への納得感が高まる。
【００１７】
このように本発明の中古二次電池再利用システムによれば、下取価格に対する下取希望者の納得感を高めつつ、中古二次電池の輸送コストを抑え、安価に中古二次電池を販売することができる。
【００１８】
本発明の中古二次電池再利用システムにおいて、
前記下取施設情報出力部は、前記下取価格の最も高い前記下取施設の位置を示す情報及び該下取施設における該下取価格の表示を、他の前記下取施設に関する情報の表示と異なるものとするように構成されていることが好ましい。
【００１９】
本発明の中古二次電池再利用システムでは、下取施設情報出力部より下取価格の最も高い下取施設を示す情報と当該下取施設における下取価格が下取希望者に出力されるときに、他の下取施設に関する情報の表示と異なる表示がなされる。
【００２０】
これにより、下取希望者は、下取価格の最も高い下取施設がどこにあるのかが明確にわかるので、どの下取施設で下取をしてもらうかの検討を効率化することができる。
【００２１】
このように本発明の中古二次電池再利用システムによれば、どの下取施設で下取をしてもらうかの下取希望者による検討を効率化しつつ、中古二次電池の輸送コストを抑え、安価に中古二次電池を販売することができる。
【００２２】
本発明の中古二次電池再利用システムにおいて、
下取りされた二次電池に関する情報を前記記憶部に記憶させる下取情報処理部と、
前記購入希望者からの、前記下取りされた二次電池の購入を予約することを示す情報を受け付けて前記記憶部に記憶させる予約情報受付部と、
前記記憶部に記憶された前記下取りされた二次電池の購入を予約することを示す情報を出力する予約情報出力部とを備えることが好ましい。
【００２３】
本発明の中古二次電池再利用システムでは、予約情報受付部により、下取りされた二次電池の購入を予約することを示す情報が購入希望者から受け付けられて記憶部に記憶される。
【００２４】
また、予約情報出力部により、当該記憶された下取りされた二次電池の購入を予約することを示す情報が出力される。
【００２５】
これにより、二次電池の下取りを行う者はいずれの中古二次電池が予約されているのかを容易に知ることができるので、効率的に中古二次電池の在庫を管理することができる。
【００２６】
このように本発明の中古二次電池再利用システムによれば、中古二次電池の輸送コストを抑えるとともに効率的に中古二次電池の在庫を管理して、安価に中古二次電池を販売することができる。
【００２７】
本発明の中古二次電池再利用システムにおいて、
前記購入希望情報受付部は、前記中古二次電池の輸送に用いることができる車輛の種類を示す情報を含む、前記購入希望者からの該中古二次電池の前記納入場所への輸送方法を指定する情報を含む情報を受け付けるように構成されており、
前記輸送コスト推定部は、前記複数の下取施設それぞれから前記納入場所までの距離に応じた、輸送に用いる前記車輛の占有時間を含む情報に基づいて、前記輸送コストを推定するように構成されていることが好ましい。
【００２８】
納入場所の敷地の状況などにより、例えば輸送に用いることのできる車輛や現地での搬入に用いることのできる重機の大きさに制限がある場合があり、それに応じて輸送コストも変動する可能性がある。
【００２９】
本発明の中古二次電池再利用システムでは、購入希望情報受付部により、中古二次電池の輸送に用いることができる車輛の種類を示す情報を含む、中古二次電池の納入場所への輸送方法を指定する情報を含む情報が受け付けられる。そして輸送コスト推定部により、複数の下取施設それぞれから納入場所までの距離に応じた、輸送に用いる車輛の占有時間を含む情報に基づいて輸送コストが推定される。 
【００３０】
これにより、中古二次電池の輸送方法も考慮して輸送コストが推定されるので、より実態に即した輸送コストが推定される。
【００３１】
このように本発明の中古二次電池再利用システムによれば、中古二次電池の輸送コストを抑え、安価かつ実態に即した金額で中古二次電池を販売することができる。
【００３２】
本発明の中古二次電池再利用システムにおいて、
前記輸送コスト推定部は、前記下取りされる二次電池の各下取施設から前記納入場所までの距離を算出し、該算出された距離に基づいて、該下取りされる二次電池の各下取施設から前記納入場所までの輸送コストを推定するように構成されていることが望ましい。
【００３３】
本発明の中古二次電池再利用システムによれば、輸送コスト推定部により、下取りされる二次電池の各下取施設から納入場所までの距離に基づいて該下取りされる二次電池の各下取施設から納入場所までの輸送コストが推定される。
【００３４】
これにより、距離という具体的な情報に基づいて輸送コストの推定処理が行われるため、輸送コストの推定精度を高めることができる。
【００３５】
このように本発明の中古二次電池再利用システムによれば、輸送コストの推定精度を高めつつ、中古二次電池の輸送コストを抑え、安価に中古二次電池を販売することができる。
【００３６】
本発明の中古二次電池再利用システムにおいて、
前記輸送コスト推定部は、前記下取りされる二次電池の各下取施設から前記納入場所までの距離が所定以上である各下取施設を前記輸送コストの推定対象から除外するように構成されていることが好ましい。
【００３７】
納入場所までの距離があまりに離れている下取施設で二次電池を下取りすると納入の際の輸送コストが非常に高額となる。そのため納入場所までの距離があまりに離れている下取施設で二次電池を下取りすることは現実的ではない。
【００３８】
本発明の中古二次電池再利用システムでは、輸送コスト推定部により下取りされる二次電池の各下取施設から納入場所までの距離が算出されて、当該算出された距離が所定以上である各下取施設については輸送コストの推定対象から除外される。
【００３９】
これにより、納入時の輸送コストの観点から、その下取施設で下取をすることが現実的な下取施設が選択されて輸送コストの推定処理が行われるため、輸送コストの推定を効率的に行うことができる。
【００４０】
このように本発明の中古二次電池再利用システムによれば、輸送コストの推定を効率化しつつ、中古二次電池の輸送コストを抑え、安価に中古二次電池を販売することができる。
【００４１】
本発明の中古二次電池再利用システムにおいて、
前記購入希望情報受付部は、前記中古二次電池の前記納入場所への納入希望時期を指定する情報を含む情報を受け付けるように構成されており、
前記購入希望情報に含まれる前記中古二次電池の前記納入希望時期を指定する情報に応じた、該中古二次電池が前記購入希望者に納入されるまでの期間の長さに基づいて該中古二次電池が該購入希望者に納入されるまでの劣化の進み度合いを推定するとともに、前記抽出部が認識した前記購入希望情報に含まれる前記中古二次電池の再利用先における用途に対応付けられた劣化状態に、該推定した劣化の進み度合いを足し合わせて、前記下取りされる二次電池の下取時に要求される劣化状態を決定する要求劣化状態決定部を備え、
前記抽出部は、前記下取りされる二次電池の下取時に要求される劣化状態が前記下取希望情報に含まれる劣化状態と適合する前記購入希望情報を抽出するように構成されていることが好ましい。 
【００４２】
中古二次電池が下取されてから、購入希望者に納入されるまでの期間が長い場合、保管中の中古二次電池の劣化状態が進んでしまうことが考えられる。そのため、下取の際には、保管中の劣化の進行も考慮して下取価格を決定することが求められる。
【００４３】
本発明の中古二次電池再利用システムでは、要求劣化状態決定部により、購入希望情報に含まれる中古二次電池の納入希望時期を指定する情報に応じた、中古二次電池が購入希望者に納入されるまでの期間の長さに基づいて中古二次電池が購入希望者に納入されるまでの劣化の進み度合いが推定される。
また、要求劣化状態決定部により、抽出部が認識した購入希望情報に含まれる中古二次電池の再利用先における用途に対応付けられた劣化状態に、推定した劣化の進み度合いが足し合わされて、下取りされる二次電池の下取時に要求される劣化状態が決定される。
【００４４】
そして抽出部により、下取りされる二次電池の下取時に要求される劣化状態が下取希望情報に含まれる劣化状態と適合する購入希望情報が抽出される。
【００４５】
これにより、保管中の劣化の進行も考慮して購入希望情報が抽出されて、当該抽出された購入希望情報に対する下取価格が決定されるので、より実態に即した下取価格を決定することができる。
【００４６】
このように本発明の中古二次電池再利用システムによれば、中古二次電池の輸送コストを抑え、安価かつ実態に即した金額で中古二次電池を販売することができる。
【図面の簡単な説明】
【００４７】
【図１】本発明の中古二次電池再利用システムの全体像を示すブロック図。
【図２Ａ】本発明の中古二次電池再利用システムが処理に用いるデータの内容を示す図。
【図２Ｂ】本発明の中古二次電池再利用システムが処理に用いるデータの内容を示す図。
【図２Ｃ】本発明の中古二次電池再利用システムが処理に用いるデータの内容を示す図。
【図３Ａ】本発明の中古二次電池再利用システムの処理内容を示すフローチャート。
【図３Ｂ】本発明の中古二次電池再利用システムの処理内容を示すフローチャート。
【図４】本発明の中古二次電池再利用システムが処理に用いるデータの内容を示す図。
【図５】本発明の中古二次電池再利用システムの処理内容を示すイメージ図。
【図６】本発明の中古二次電池再利用システムの出力内容を示す図。
【発明を実施するための形態】
【００４８】
図を用いて、本実施形態の中古二次電池再利用システムについて説明する。なお同一の構成については、同一の符号を付して説明を省略することがある。
【００４９】
本実施形態の中古二次電池再利用システムは、車両駆動用の二次電池として使用された中古二次電池の再利用を支援するシステムであり、例えば購入希望者装置１０と、下取希望者装置３０とサーバー５０と備えている。購入希望者装置１０とサーバー５０との間及び下取希望者装置３０とサーバー５０との間は、通信ネットワーク９０により相互に通信可能に接続されている。なお、図１において購入希望者装置１０及び下取希望者装置３０はそれぞれ一つのみ記載されているが、同一時期に稼働している購入希望者装置１０及び下取希望者装置３０は複数であっても一つであってもよい。
【００５０】
購入希望者装置１０は、購入希望者Ｂが中古二次電池再利用システムの操作の際に用いるスマートフォン、タブレット、パーソナルコンピューターなどの機器である。
【００５１】
購入希望者装置１０は、例えば購入希望者装置制御部１１０、購入希望者装置記憶部１３０、購入希望者装置入力部１５０、購入希望者装置出力部１７０を有している。
【００５２】
購入希望者装置制御部１１０は、ＣＰＵ（Ｃｅｎｔｒａｌ  Ｐｒｏｃｅｓｓｉｎｇ  Ｕｎｉｔ）等の演算処理装置、メモリ、及びＩ／Ｏ（Ｉｎｐｕｔ／Ｏｕｔｐｕｔ）デバイスなどにより構成されている。
【００５３】
購入希望者装置制御部１１０は、所定のプログラムを読み込んで実行することにより例えば購入希望情報受付部１１１として、あるいはさらに予約情報受付部１１３として機能する。
【００５４】
購入希望情報受付部１１１は、中古二次電池の購入を希望する購入希望者Ｂからの、中古二次電池の用途及び納入場所の位置情報を含む、該中古二次電池の購入希望情報を受け付けてサーバー記憶部５３０に記憶させる。
【００５５】
あるいはさらに購入希望情報受付部１１１は、中古二次電池の納入場所への輸送方法及び／又は納入希望時期を指定する情報を含む情報を受け付けてサーバー記憶部５３０に記憶させるように構成される。
【００５６】
予約情報受付部１１３は、購入希望者Ｂからの、下取りされた二次電池ＲＢの購入を予約することを示す情報を受け付けてサーバー記憶部５３０に記憶させる。
【００５７】
購入希望者装置記憶部１３０は、例えばＲＯＭ(Ｒｅａｄ  Ｏｎｌｙ  Ｍｅｍｏｒｙ)、ＲＡＭ(Ｒａｎｄｏｍ  Ａｃｃｅｓｓ  Ｍｅｍｏｒｙ)、ＨＤＤ(Ｈａｒｄ  Ｄｉｓｋ  Ｄｒｉｖｅ)等の記憶装置により構成されている。購入希望者装置記憶部１３０は、購入希望者装置１０の動作に必要な情報を記憶している。
【００５８】
購入希望者装置入力部１５０は、購入希望者Ｂによる入力を受け付ける例えばキーボード又はタッチパネル、マウスその他のポインティングデバイスである。購入希望者装置出力部１７０は、購入希望者Ｂに対して情報を出力する例えばディスプレイである。
【００５９】
下取希望者装置３０は、下取希望者Ｓが中古二次電池再利用システムの操作の際に用いるスマートフォン、タブレット、パーソナルコンピューターなどの機器である。
【００６０】
下取希望者装置３０は、例えば下取希望者装置制御部３１０、下取希望者装置記憶部３３０、下取希望者装置入力部３５０、下取希望者装置出力部３７０を有している。
【００６１】
下取希望者装置制御部３１０は、所定のプログラムを読み込んで実行することにより例えば下取希望情報受付部３１１及び下取施設情報出力部３１３として機能する。
【００６２】
下取希望情報受付部３１１は、車両Ｍの下取りを希望する下取希望者Ｓからの、該車両Ｍに搭載された二次電池ＲＢの劣化状態を示す情報を含む下取希望情報を受け付ける。なお二次電池ＲＢの劣化状態とは、例えば当該二次電池ＲＢのＳＯＨ（Ｓｔａｔｅ  Ｏｆ  Ｈｅａｌｔｈ）である。
【００６３】
下取施設情報出力部３１３は、下取価格決定部５１７により決定された各下取施設での下取価格及び該各下取施設の位置を示す情報を下取希望者Ｓに対して下取希望者装置出力部３７０を介して出力する。
【００６４】
下取希望者装置記憶部３３０は、例えばＲＯＭ、ＨＤＤ等の記憶装置により構成されており、下取希望者装置３０の動作に必要な情報を記憶している。
【００６５】
下取希望者装置入力部３５０は、下取希望者Ｓによる入力を受け付ける例えばキーボード又はタッチパネル、マウスその他のポインティングデバイスである。あるいは例えば下取希望者装置入力部３５０はカメラ、車両Ｍに搭載された二次電池ＲＢの劣化状態（ＳＯＨ）を、当該車両Ｍを介して、または二次電池ＲＢから直接取得等する端子およびセンサーであってもよい。
【００６６】
下取希望者装置出力部３７０は、下取希望者Ｓに対して情報を出力する例えばディスプレイである。
【００６７】
サーバー５０は、サーバー制御部５１０、サーバー記憶部５３０、サーバー出力部５７０を備える例えばコンピュータである。サーバー５０は、一台であってもよく、複数の機器により構成されていてもよく、また各下取施設に設置されていてもよい。
【００６８】
サーバー制御部５１０は、所定のプログラムを読み込んで実行することにより例えば、抽出部５１１、販売価格決定部５１３、輸送コスト推定部５１５、下取価格決定部５１７として、あるいはさらに下取情報処理部５１９、予約情報出力部５２１、要求劣化状態決定部５２３として機能する。
【００６９】
抽出部５１１は、中古二次電池の用途と、下取希望情報に含まれる劣化状態とが適合する購入希望情報をサーバー記憶部５３０から抽出する。
【００７０】
販売価格決定部５１３は、抽出部５１１により抽出された購入希望情報に関する中古二次電池の用途に応じて、下取りされる二次電池ＲＢの購入希望者Ｂへの販売価格を決定する。
【００７１】
輸送コスト推定部５１５は、抽出された購入希望情報に含まれる納入場所の位置情報と、複数の下取施設の位置情報とに基づいて、下取りされる二次電池の各下取施設から納入場所までの輸送コストを推定する。
【００７２】
あるいはさらに輸送コスト推定部５１５は、中古二次電池の輸送方法を指定する情報に基づいて、輸送コストを推定するように構成される。
【００７３】
下取価格決定部５１７は、前記下取りされる二次電池の前記販売価格と前記輸送コストとに基づいて、前記各下取施設での該下取りされる二次電池の下取価格を決定する。
【００７４】
下取情報処理部５１９は、下取りされた二次電池ＲＢに関する情報をサーバー記憶部５３０に記憶させる。
【００７５】
予約情報出力部５２１は、下取情報処理部５１９により記憶部５３０に記憶された下取りされた二次電池ＲＢの購入を予約することを示す情報を下取施設の担当者に向けてサーバー出力部５７０を介して出力する。
【００７６】
要求劣化状態決定部５２３は、下取希望情報に含まれる中古二次電池の用途と納入希望時期を指定する情報とに基づいて下取りされる二次電池ＲＢの下取時に要求される劣化状態を決定する。
【００７７】
サーバー記憶部５３０は、二次電池が搭載された車両の下取りを行う複数の下取施設の位置情報のほか、サーバー制御部５１０による処理に必要な情報を記憶している。すなわち、本実施形態においてはサーバー記憶部５３０が、駆動用の二次電池ＲＢが搭載された車両Ｍの下取りを行う複数の下取施設の位置情報を記憶する記憶部として機能する。
【００７８】
サーバー記憶部５３０には、例えば下取施設ＤＢ（Ｄａｔａ  Ｂａｓｅ）５３１、購入希望ＤＢ５３３、中古二次電池ＤＢ５３５が記憶されている。
【００７９】
下取施設ＤＢ５３１は、例えば図２Ａに示すように、二次電池ＲＢが搭載された車両Ｍの下取りを行う複数の下取施設の位置情報として緯度及び経度を格納している。
【００８０】
購入希望ＤＢ５３３は、購入希望情報を格納するＤＢであり、例えば図２Ｂに示すように、購入希望ＩＤ、購入希望者名、中古二次電池の用途、希望充電容量、納入場所の位置情報（緯度経度）、輸送方法、納入希望時期を示す情報を格納している。
【００８１】
中古二次電池ＤＢ５３５は、下取りされた二次電池に関する情報を格納するＤＢであり、例えば図２Ｃに示すように、中古二次電池ＩＤ、劣化状態（ＳＯＨ）、充電容量の情報を格納している。また当該中古二次電池ＲＢが予約済みであればそのことを示す情報として対象となる購入希望情報の購入希望ＩＤが格納される。
【００８２】
サーバー出力部５７０は、下取施設の担当者に対して情報を出力する例えばディスプレイである。
【００８３】
次に、図３Ａ、図３Ｂを用いて本実施形態の中古二次電池再利用システムの処理内容について説明する。
【００８４】
＜処理の概要＞
まず図３Ａを参照して、下取希望者Ｓに対して、下取価格の最も高い下取施設を示す情報及び該下取施設における該下取価格が出力されるまでの一連の処理について説明する。
【００８５】
本実施形態の中古二次電池再利用システムによる一連の処理は、例えば購入希望者装置１０を用いた購入希望者Ｂによる操作に応じて随時に実行される。
【００８６】
処理を開始するとまず購入希望者装置１０の購入希望情報受付部１１１は、中古二次電池の購入を希望する購入希望者Ｂからの、中古二次電池の用途及び納入場所の位置情報を含む、該中古二次電池の購入希望情報を受け付けて、サーバー５０に送信する（図３Ａ／Ｓ１０）。
【００８７】
なおこのとき購入希望情報受付部１１１は、必要に応じて中古二次電池の納入場所への輸送方法を指定する情報及び／又は中古二次電池の納入場所への納入希望時期を指定する情報を含む購入希望情報を受け付けてもよい。
【００８８】
そしてサーバー記憶部５３０は、購入希望者装置１０から受信した購入希望情報を記憶する（図３Ａ／Ｓ２０）。
【００８９】
その後、下取希望者装置３０を用いた下取希望者Ｓによる操作に応じて、下取希望情報受付部３１１が車両Ｍの下取りを希望する下取希望者Ｓからの、該車両Ｍに搭載された二次電池ＲＢの劣化状態（ＳＯＨ）を示す情報を含む下取希望情報を受け付けてサーバー５０に送信する（図３Ａ／Ｓ３０）。
【００９０】
なお、劣化状態（ＳＯＨ）を受け付ける手法としては、種々の手法を採用しうる。例えば車両Ｍ自体が二次電池のＳＯＨを表示する機能を有している場合は、車両Ｍが表示するＳＯＨを下取希望者が下取希望者装置３０の下取希望者装置入力部３５０を用いて手入力もしくは撮像することにより入力してもよい。あるいは下取希望者装置入力部３５０が車両Ｍに搭載された二次電池ＲＢの劣化状態（ＳＯＨ）を、当該車両Ｍを介して、または二次電池ＲＢから直接取得等する端子およびセンサーである場合には、それらを用いて二次電池ＲＢの劣化状態（ＳＯＨ）を取得等して受け付けてもよい。
【００９１】
次にサーバー５０の抽出部５１１は、下取希望情報を受信して（図３Ａ／Ｓ４０）、中古二次電池の用途が当該受信した下取希望情報に含まれる劣化状態と適合する購入希望情報を抽出する（図３Ａ／Ｓ５０）。
【００９２】
より具体的には、抽出部５１１はサーバー記憶部５３０の購入希望ＤＢ５３３を参照して購入希望情報を取得し、例えば図４に示すような中古二次電池の用途と当該用途に対応した劣化状態とを記憶しているテーブルを参照して、各購入希望情報に含まれる用途に対応する劣化状態を認識する。
【００９３】
そして抽出部５１１は、各購入希望情報に含まれる用途に対応する劣化状態と、下取希望情報に含まれる劣化状態とが適合する購入希望情報を抽出する。
【００９４】
また、当該抽出する処理に先立って、要求劣化状態決定部５２３が、購入希望情報に含まれる中古二次電池の用途と納入希望時期を指定する情報とに基づいて、下取りされる二次電池ＲＢの下取時に要求される劣化状態を決定するように構成されていてもよい。この場合に抽出部５１１は、下取りされる二次電池ＲＢの下取時に要求される劣化状態が下取希望情報に含まれる劣化状態と適合する購入希望情報を抽出する。
【００９５】
すなわち要求劣化状態決定部５２３は、例えば購入希望情報に含まれる中古二次電池の用途に対応する劣化状態が８０％であって、購入希望情報に含まれる納入希望時期までに５％の劣化が進むと推定される場合には、下取りされる二次電池ＲＢの下取時に要求される劣化状態が８５％であると決定する。この場合に抽出部５１１は、下取希望情報に含まれる劣化状態が８５％以上であれば、当該購入希望情報を下取希望情報に含まれる劣化状態と適合する購入希望情報として抽出する。
【００９６】
次に販売価格決定部５１３は、抽出部５１１により抽出された購入希望情報に関する中古二次電池の用途に応じて、下取りされる二次電池ＲＢの購入希望者Ｂへの販売価格を決定する（図３Ａ／Ｓ６０）。
【００９７】
より具体的には、販売価格決定部５１３は例えば図４に示すような中古二次電池の用途と当該用途に対応した販売価格とを記憶しているテーブルを参照して、各購入希望情報に含まれる用途に対応する販売価格を取得し、当該取得した販売価格を下取りされる二次電池ＲＢの購入希望者Ｂへの販売価格として決定する。
【００９８】
次に輸送コスト推定部５１５は、抽出部５１１により抽出された購入希望情報に含まれる納入場所の位置情報と、複数の下取施設の位置情報とに基づいて、下取りされる二次電池ＲＢの各下取施設から納入場所までの輸送コストを推定する（図３Ａ／Ｓ７０）。
【００９９】
より具体的には輸送コスト推定部５１５は、例えば公知の手法を用いて納入場所の位置情報と、複数の下取施設の位置情報とに基づいて中古二次電池ＲＢの輸送経路を複数の下取施設ごとに特定する。
【０１００】
そして輸送コスト推定部５１５は、例えば当該輸送経路に基づいて、下取りされる二次電池ＲＢの各下取施設から納入場所までの距離を算出する。また輸送コスト推定部５１５は、当該算出された距離に基づいて、輸送に用いる車輛及び現地での設置に用いる設備の占有時間、必要な人員の人数及び所要時間、その他の輸送コストを変動させる要素を考慮して、中古バッテリーＲＢの輸送及び現地での設置などの費用を算出することにより、各下取施設から納入場所までの輸送コストを推定する。
【０１０１】
なおこのとき輸送コスト推定部５１５は、各下取施設から納入場所までの距離が所定以上である各下取施設を前記輸送コストの推定対象から除外してもよい。
【０１０２】
そして下取価格決定部５１７は、下取りされる二次電池ＲＢの販売価格と輸送コストとに基づいて、各下取施設での該下取りされる二次電池ＲＢの下取価格を決定する（図３Ａ／Ｓ８０）。
【０１０３】
すなわち例えば下取価格決定部５１７は、下取りされる二次電池ＲＢの販売価格に対して所定の原価率を掛け合わせた金額、もしくは当該販売価格から所定の利益額を差し引いた金額を下取ベース金額として決定する。あるいは同様にしてあらかじめ算出された下取ベース金額をサーバー記憶部５３０に記憶させておき、当該記憶された下取ベース金額を取得することにより下取価格決定部５１７が下取ベース金額を決定してもよい。
【０１０４】
そして下取価格決定部５１７は、このようにして決定された下取ベース金額から、上記にて推定された各下取施設から納入場所までの輸送コストを差し引いた金額を、各下取施設での該下取りされる二次電池ＲＢの下取価格として決定する。
【０１０５】
なお抽出部５１１により抽出された購入希望情報が複数である場合は、販売価格、輸送コスト、下取価格は、抽出された購入希望情報ごとに決定又は推定される。
【０１０６】
続いて下取価格決定部５１７は、下取価格の最も高い下取施設を示す情報と当該下取施設における下取価格を下取希望者装置３０に送信する。なおこのとき下取価格決定部５１７は、下取価格の最も高い下取施設以外の下取施設を示す情報と当該下取施設における下取価格を下取希望者装置３０に併せて送信してもよい。
【０１０７】
図５は、上記のＳ３０〜Ｓ９０の処理の流れの概要を示したイメージ図である。受信された下取希望情報に含まれる劣化状態が「７５％」であるため、用途に対応する劣化状態が「７０％以上」である購入希望情報として、購入希望ＩＤが「ＢＤ０００１」のデータと「ＢＤ０００２」のデータが抽出されている。
【０１０８】
そして下取価格が下取施設ごとかつ購入希望情報ごとに決定されている。本実施例においては、「○○自動車いわき△△店」の「○○○円」が最も高い下取価格として選択されている。また、「○○自動車いわき□□店」の「□△△円」２番目に高い下取価格として選択されている。
【０１０９】
続いて下取希望者装置３０の下取施設情報出力部３１３は、下取価格の最も高い下取施設を示す情報を受信して、下取希望者装置出力部３７０に表示して（図３Ａ／Ｓ１００）、処理を終了する。
【０１１０】
図６は、下取希望者装置３０における出力内容を示すイメージ図である。地図ＭＡ中に、下取価格の最も高い下取施設であることを示す情報及び該下取施設における該下取価格を示す表示ＩＢＰが表示されている。また、下取価格の２番目に高い下取施設を示す情報及び該下取施設における該下取価格を示す表示ＩＳＢＰ及び下取希望者Ｓの現在位置を示す表示ＩＰＰも併せて表示されている。
【０１１１】
本実施例においては、このように下取価格の最も高い下取施設の位置を示す情報及び該下取施設における該下取価格の表示を、他の下取施設に関する情報の表示と異なるものとするので下取希望者Ｓは、距離は□□店の方が現在位置に近いものの、下取価格が△△店の方が高いことがわかるので、下取価格の最も高い△△店での下取りを促される。
【０１１２】
続いて図３Ｂを参照して、下取りされた二次電池ＲＢが購入希望者Ｂに納入されるまでの一連の処理について説明する。本実施形態における当該一連の処理は、例えばサーバー５０を用いた下取施設の担当者による操作に応じて随時に実行される。
【０１１３】
処理を開始するとまずサーバー５０の下取情報処理部５１９は、下取施設の担当者による操作に応じて下取りされた二次電池ＲＢに関する情報を受け付けて、サーバー記憶部５３０の中古二次電池ＤＢ５３５に記憶する（図３Ｂ／Ｓ１１０）。
【０１１４】
続いて購入希望者装置１０の予約情報受付部１１３は例えば購入希望者装置１０を用いた購入希望者Ｂによる操作に応じて下取りされた二次電池に関する情報を取得して購入希望者装置出力部１７０に表示する（図３Ｂ／Ｓ１２０）。
【０１１５】
すなわち例えば、予約情報受付部１１３はまず購入希望ＤＢ５３３を参照して当該購入希望者の購入希望情報を抽出し、さらに中古二次電池ＤＢ５３５を参照して当該抽出された購入希望情報に含まれる用途が前記下取希望情報に含まれる劣化状態と適合する下取希望情報を選択する。そして予約情報受付部１１３は、このようにして抽出された購入希望情報とそれに対応する下取希望情報を購入希望者装置出力部１７０に表示する。
【０１１６】
そして予約情報受付部１１３は、購入希望者Ｂからの、下取りされた二次電池ＲＢの購入を予約することを示す情報を受け付けてサーバー５０に送信する（図３Ｂ／Ｓ１３０）。
【０１１７】
すなわち例えば、予約情報受付部１１３は購入希望者Ｂが予約したい二次電池ＲＢを選択する操作に応じて、対応する購入希望ＩＤと中古二次電池ＩＤとをサーバー５０に送信する。
【０１１８】
続いてサーバー５０の下取情報処理部５１９は、下取りされた二次電池の購入を予約することを示す情報を受信してサーバー記憶部５３０に記憶して一連の処理を終了する（図３Ｂ／Ｓ１４０）。
【０１１９】
すなわち例えば、購入希望ＩＤと中古二次電池ＩＤとを受信し、当該中古二次電池ＩＤに基づいて中古二次電池ＤＢを参照して、該当するレコードの予約済みフィールドに、今回受信した購入希望ＩＤを書き込むことによりサーバー記憶部５３０に記憶する。
【０１２０】
なお各下取施設の担当者は、サーバー出力部５７０を介して随時に下取りされた二次電池の予約状況を確認することができる。また、納入場所への納入が終了した際には、対応する購入希望情報及び下取希望情報は例えばサーバー記憶部５３０のそれぞれのＤＢから削除される。
【０１２１】
以上述べてきたように、本発明の中古二次電池再利用システムによれば、中古二次電池の輸送コストを抑え、安価に中古二次電池を販売することができる。
【０１２２】
以上、本発明の実施形態について説明したが、本発明はこれに限定されない。本発明の趣旨を逸脱しない範囲で、種々の変更が可能である。また必要に応じて一部の機能、処理が省略されたり、処理の順序が変更されてもよい。
【０１２３】
例えば下取価格決定部５１７は、下取施設を示す情報と当該下取施設における下取価格を下取希望者装置３０に送信する際に、下取価格が所定金額以下となる下取施設に関する情報を送信対象から除外するように構成されていてもよい。
【０１２４】
あるいは例えば上記においては購入希望者Ｂによる操作に応じて下取りされた二次電池に関する情報を取得して購入希望者装置出力部１７０に表示する構成を説明したがこれに限定されない。すなわち例えば下取情報処理部５１９は、購入希望情報に適合する二次電池ＲＢに関する情報を受け付けた際に、購入希望者装置１０に対して自動的にその旨を通知する情報を送信するように構成されていてもよい。
【０１２５】
あるいは例えば下取希望者装置３０の機能の一部が下取希望者装置３０と通信可能に接続された別の装置により実現されてもよい。すなわち例えば下取希望情報受付部３１１の機能のうち二次電池ＲＢの劣化状態（ＳＯＨ）を取得する機能が当該別の装置に実装されていてもよい。
【符号の説明】
【０１２６】
１０…購入希望者装置、３０…下取希望者装置、５０…サーバー、１１１…購入希望情報受付部、１１３…予約情報受付部、３１１…下取希望情報受付部、３１３…下取施設情報出力部、３７０…下取希望者装置出力部、５１１…抽出部、５１３…販売価格決定部、５１５…輸送コスト推定部、５１７…下取価格決定部、５１９…下取情報処理部、５２１…予約情報出力部、５３０…サーバー記憶部（記憶部）。
【図１】
0006944209.tif 000002
【図２Ａ】
0006944209.tif 000003
【図２Ｂ】
0006944209.tif 000004
【図２Ｃ】
0006944209.tif 000005
【図３Ａ】
0006944209.tif 000006
【図３Ｂ】
0006944209.tif 000007
【図４】
0006944209.tif 000008
【図５】
0006944209.tif 000009
【図６】
0006944209.tif 000010